(57)【要約】【課題】酸素富化膜によって室内空気の酸素富化を行うことが可能な酸素富化装置を備えた空気調和装置において、酸素富化空気中に含まれる水分の結露を防ぐことにある。【解決手段】空気調和装置１は、加湿ユニット５と、酸素富化ユニット６とを備えている。加湿ユニット５は、空気中の水分を吸着・除去して除湿空気を得ることが可能な加湿ロータ５１を有している。酸素富化ユニット６は、加湿ロータ５１によって空気中の水分が除去された除湿空気から酸素富化空気を得る酸素富化膜６３を有しており、酸素富化空気を室内に供給して、室内空気の酸素富化を行うことが可能である。【選択図】　　　図２
2004077093.tif 000002
【特許請求の範囲】
【請求項１】
空気中の水分を吸着・除去して除湿空気を得ることが可能な吸着剤（５１）を有する水分吸着装置（５、１０５）と、
前記吸着剤によって空気中の水分が除去された除湿空気から酸素富化空気を得る酸素富化膜（６３）を有し、酸素富化空気を室内に供給して、室内空気の酸素富化を行うことが可能な酸素富化装置（６、１０６）と、
を備えた空気調和装置（１、１０１）。
【請求項２】
前記水分吸着装置（５、１０５）は、前記吸着剤（５１）に吸着された水分を空気中に脱着させることによって加湿空気を得て、加湿空気を室内に供給して、室内空気の加湿を行うことが可能な加湿装置である、請求項１に記載の空気調和装置（１、１０１）。
【請求項３】
空気中の水分を吸着させて除湿空気を得ることが可能な吸着剤（５１）と、前記吸着剤を加熱することによって吸着された水分を空気中に脱着させて加湿空気を得ることが可能な加熱装置（５３）とを有する加湿装置（５、１０５）と、
前記加湿装置によって得られた加湿空気を室内に供給する加湿空気供給流路（８）と、
空気から酸素富化空気を得ることが可能な酸素富化膜（６３）を有する酸素富化装置（６、１０６）と、
前記酸素富化装置によって得られた酸素富化空気を室内に供給するために前記加湿空気供給流路に接続された酸素富化空気供給流路（６５）と、
を備えた空気調和装置（１、１０１）。
【発明の詳細な説明】
【０００１】
【発明の属する技術分野】
本発明は、空気調和装置、特に、室内空気の酸素富化を行うための酸素富化装置を備えた空気調和装置に関する。
【０００２】
【従来の技術】
従来、特開平３−７５４２３号公報や特開平３−２１７７３１号公報に示されるように、酸素富化膜によって室内空気を酸素富化することが可能な酸素富化装置を備えた空気調和装置がある。このような空気調和装置は、室外ユニットと、室内ユニットと、これらのユニット間を接続するための冷媒配管とを備えており、主として、室内の冷暖房を行っている。酸素富化装置は、室外に設けられており、酸素富化膜によって室外空気から酸素富化空気を得て、得られた酸素富化空気を酸素富化空気供給管を通じて室内に供給する装置である。これにより、この空気調和装置では、室内を冷暖房するとともに、冷暖房運転によって締め切られた室内を酸素富化することが可能である。
【０００３】
【発明が解決しようとする課題】
酸素富化装置を構成する酸素富化膜は、空気中の酸素だけでなく水分も透過する性質を有している。より具体的には、水分の酸素富化膜の透過率が窒素や酸素の透過率に比べて非常に大きく、この水分の透過率を制御することが困難である。このため、湿気を含む空気を酸素富化膜に通ずると、空気の湿度の成り行きで容易に結露が生じてしまう。また、水分の酸素富化膜への溶解が早いため、膜の自由面積が小さくなり、酸素の分離性能が損なわれる。
【０００４】
このため、室外空気等の湿気を含む空気を酸素富化装置に通ずると、水分を多く含む酸素富化空気が得られることになる。この水分を多く含む酸素富化空気は、酸素富化装置の出口又は酸素富化空気供給管において、酸素富化空気中に含まれる水分の結露が生じやすいという問題がある。また、水分の酸素富化膜への溶解により、十分な酸素濃度を有する酸素富化空気が得られないおそれがある。
【０００５】
本発明の課題は、酸素富化膜によって室内空気の酸素富化を行うことが可能な酸素富化装置を備えた空気調和装置において、酸素富化空気中に含まれる水分の結露を防ぐことにある。
【０００６】
【課題を解決するための手段】
請求項１に記載の空気調和装置は、水分吸着装置と、酸素富化装置とを備えている。水分吸着装置は、空気中の水分を吸着・除去して除湿空気を得ることが可能な吸着剤を有している。酸素富化装置は、吸着剤によって空気中の水分が除去された除湿空気から酸素富化空気を得る酸素富化膜を有しており、酸素富化空気を室内に供給して、室内空気の酸素富化を行うことが可能である。
【０００７】
この空気調和装置では、水分吸着装置によって空気中の水分を吸着・除去して除湿空気を得た後、この除湿空気を酸素富化膜を備えた酸素富化装置に供給して酸素富化空気を得て、室内に供給するようにしている。
これにより、酸素富化空気中に含まれる水分量を減らすことができるため、酸素富化空気中の水分の結露を防ぐことができる。
【０００８】
請求項２に記載の空気調和装置は、請求項１において、水分吸着装置は、吸着剤に吸着された水分を空気中に脱着させることによって加湿空気を得て、加湿空気を室内に供給して、室内空気の加湿を行うことが可能な加湿装置である。
この空気調和装置では、水分吸着装置は、空気中の水分を吸着して除湿空気を得るとともに、吸着された水分を空気中に脱着させて加湿空気を得ることができる無給水の加湿装置であるため、加湿空気を得るための水分吸着によって得られる除湿空気を酸素富化装置に供給することが可能である。
【０００９】
これにより、加湿装置の水分吸着によって得られる除湿空気を有効利用するとともに、水分量が少なく結露のおそれの少ない酸素富化空気を得ることができる。
請求項３に記載の空気調和装置は、加湿装置と、加湿空気供給流路と、酸素富化装置と、酸素富化空気供給路とを備えている。加湿装置は、空気中の水分を吸着させて除湿空気を得ることが可能な吸着剤と、吸着剤を加熱することによって吸着された水分を空気中に脱着させて加湿空気を得ることが可能な加熱装置とを有している。加湿空気供給流路は、加湿装置によって得られた加湿空気を室内に供給する。酸素富化装置は、空気から酸素富化空気を得ることが可能である。酸素富化空気供給流路は、酸素富化装置によって得られた酸素富化空気を室内に供給するために加湿空気供給流路に接続されている。
【００１０】
この空気調和装置では、吸着剤と加熱装置とを備えた温度スイング吸着式の加湿装置を備えているため、温度の高い加湿空気を得ることができる。そして、酸素富化空気供給流路が加湿空気供給流路に接続されているため、酸素富化装置において得られた水分を多く含む酸素富化空気は、温度の高い加湿空気に混合されて、室内に供給される。
【００１１】
これにより、酸素富化空気と加湿空気との混合を調節して、常に露点以下に制御することができるため、酸素富化空気に含まれる水分の結露を防ぐことができる。
【００１２】
【発明の実施の形態】
以下、図面に基づいて、本発明の空気調和装置について説明する。
［第１実施形態］
（１）空気調和装置の概略構成
図１は、本発明の第１実施形態にかかる空気調和装置の外観図である。
【００１３】
この空気調和装置１は、室内の壁面などに取り付けられる室内ユニット２と、室外に設置される室外ユニット３とに分かれて構成されている。室外ユニット３は、室外熱交換器やプロペラファンなどを収納する室外冷媒ユニット４と、加湿ユニット５と、酸素富化ユニット６とを備えている。室内ユニット２内には室内熱交換器が収納され、室外ユニット３内には室外熱交換器が収納されている。そして、各熱交換器及びこれらの熱交換器を接続する冷媒配管７が、冷媒回路を構成している。また、室外ユニット３と室内ユニット２との間には、加湿ユニット５からの加湿空気等と酸素富化ユニット６からの酸素富化空気とを室内ユニット２側に供給するときに用いられる給気管８が設けられている。尚、本実施形態において、加湿ユニット５と酸素富化ユニット６とは、室外冷媒ユニット４の上部に配置されている。
【００１４】
（２）冷媒回路の構成
図２は、空気調和装置１の冷媒回路の構成図、加湿ユニットの構成図及び酸素富化ユニットの構成図である。以下、冷媒回路の構成について図２に基づいて説明する。
室内ユニット２には、室内熱交換器１１が設けられている。この室内熱交換器１１は、複数本のヘアピン形状の管を接続して構成される伝熱管と、伝熱管が挿通される複数のフィンとからなり、接触する空気との間で熱交換を行う。
【００１５】
また、室内ユニット２内には、クロスフローファン１２と、クロスフローファン１２を回転駆動する室内ファンモータ１３とが設けられている。クロスフローファン１２は、円筒形状であり、周面には多数の羽根が設けられており、回転軸と交わる方向に空気流を生成する。このクロスフローファン１２は、室内空気を室内ユニット２内に吸入させるとともに、室内熱交換器１１との間で熱交換を行った後の空気を室内に吹き出す。
【００１６】
室外冷媒ユニット４には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動膨張弁２５とが設けられている。電動膨張弁２５は、フィルタ２６および液閉鎖弁２７を介して液側連絡配管３２に接続されており、この配管３２を介して室内熱交換器１１の一端に接続されている。また、四路切換弁２２は、ガス閉鎖弁２８を介してガス側連絡配管３１に接続されており、ガス側連絡配管３１を介して室内熱交換器１１の他端に接続されている。これらの配管３１、３２は、図１の冷媒配管７に相当する。
【００１７】
また、室外冷媒ユニット４内には、室外熱交換器２４での熱交換後の空気を外部に排出するためのプロペラファン２９が設けられている。このプロペラファン２９は、室外ファンモータ３０によって回転駆動される。
（３）加湿装置の構成
次に、加湿ユニット５の内部の構成について図２に基づいて説明する。
【００１８】
加湿ユニット５は、室外冷媒ユニット４の上部に位置する加湿ユニットケーシングを備えており、その内部に、吸湿ロータ５１、ヒータ組立体５３、加湿ファン５４、吸着ファン５５などが配置されている。
吸湿ロータ５１は、概ね円板形状を有するハニカム構造のセラミックロータであり、空気が容易に通過できる構造となっている。具体的には、平面視において円形を有するロータであり、水平面で切った断面において細かいハニカム（蜂の巣）状になっている。そして、これらの断面が多角形である吸湿ロータ５１の多数の筒部分を、空気が通過する。吸湿ロータ５１の主たる部分は、ゼオライト、シリカゲル、あるいはアルミナといった吸着剤を焼成したものである。このゼオライト等の吸着剤は、接触する空気中の水分を吸着し、加熱されることで吸着した水分を脱着する性質を有している。この吸湿ロータ５１は、ロータ駆動モータ５２によって回転することが可能である。
【００１９】
ヒータ組立体５３は、吸湿ロータ５１の略半分の部分５１ｂの一方の面を覆うように配置されている。ヒータ組立体５３は、外部から吸入された空気を加熱して吸湿ロータ５１側へ排出することが可能である。
加湿ファン５４は、吸湿ロータ５１の略半分の部分５１ｂの他方の面側であってヒータ組立体５３に対応する位置に配置されている。加湿ファン５４は、給気管８に接続されるように配置された遠心ファンである。加湿ファン５４は、吸湿ロータ５１の略半分の部分５１ｂを通過して得られる加湿空気を給気管８へ送出し、室内ユニット２に供給する。
【００２０】
吸着ファン５５は、吸着ファンモータ５６によって回転する遠心ファンであり、外部から給気した空気を吸湿ロータ５１に通すことができるように配置されている。吸着ファン５５は、吸湿ロータ５１の略半分の部分５１ａを通過する際に水分が吸着・除去されて得られる除湿空気を加湿ユニットケーシングの外部に排出する。このとき排出される除湿空気は、後述の酸素富化ユニット６の酸素富化膜モジュール６１に供給できるように接続されている。
【００２１】
（４）酸素富化ユニットの構成
次に、酸素富化ユニット６の内部の構成について図２に基づいて説明する。
酸素富化ユニット６は、室外冷媒ユニット４の上部であって、加湿ユニット５の側方に隣接して配置される酸素富化ユニットケーシングを備えており、その内部に、酸素富化膜モジュール６１、真空ポンプ６４などが配置されている。
【００２２】
酸素富化膜モジュール６１は、主に、入口側に設けられたフィルタ６２と、供給される空気から酸素富化空気を得る酸素富化膜６３とから構成されている。酸素富化膜６３は、空気中の酸素及び水分を透過しやすく、かつ、窒素を透過しにくい性質を有している。酸素富化膜モジュール６１で得られた酸素富化空気は、真空ポンプ６４に吸入されるようになっている。また、酸素富化膜モジュール６１で得られた窒素富化空気は、酸素富化ユニットケーシングの外部に排出されるようになっている。
【００２３】
真空ポンプ６４は、酸素富化膜モジュール６１で得られた酸素富化空気を吸入して加圧し、酸素富化空気供給管６５に送出することが可能である。本実施形態において、真空ポンプ６４としては、酸素富化空気に潤滑油が混入しないように、オイルレスタイプのものが使用されている。
酸素富化空気供給管６５は、加湿ユニット５で得られた加湿空気を室内に供給するための給気管８に接続されている。すなわち、酸素富化ユニット６で得られた酸素富化空気は、給気管８を介して室内に供給されるようになっている。
【００２４】
（５）空気調和装置の動作
次に、空気調和装置１の動作について、図２を用いて説明する。
▲１▼冷媒回路の運転
まず、冷房運転について説明する。冷房運転時は、四路切換弁２２が図２の実線で示される状態、すなわち、圧縮機２１の吐出側が室外熱交換器２４のガス側に接続され、かつ、圧縮機２１の吸入側が室内熱交換器１１のガス側に接続された状態となっている。また、液閉鎖弁２７、ガス閉鎖弁２８及び電動膨張弁２５は、開状態になっている。
【００２５】
この冷媒回路の状態で、室外冷媒ユニット４のプロペラファン２９、圧縮機２１及び室内ユニット２のクロスフローファン１２を起動すると、冷媒ガスは、圧縮機２１に吸入されて圧縮された後、四路切換弁２２を経由して室外熱交換器２４に送られて、外気と熱交換して凝縮される。この凝縮した冷媒液は、電動膨張弁２５において減圧された後、液側連絡配管３２を経由して室内ユニット２に送られる。そして、室内ユニット２に送られた冷媒液は、室内熱交換器１１で室内空気と熱交換して蒸発される。この蒸発した冷媒ガスは、ガス側連絡配管３１、四路切換弁２２及びアキュムレータ２３を経由して、再び、圧縮機２１に吸入される。このようにして、冷房運転が行われる。
【００２６】
次に、暖房運転について説明する。暖房運転時は、四路切換弁２２が図２の破線で示される状態、すなわち、圧縮機２１の吐出側が室内熱交換器１１のガス側に接続され、かつ、圧縮機２１の吸入側が室外熱交換器２４のガス側に接続された状態となっている。また、液閉鎖弁２７及びガス閉鎖弁２８は、開状態になっている。
【００２７】
この主冷媒回路の状態で、室外冷媒ユニット４のプロペラファン２９、圧縮機２１及び室内ユニット２のクロスフローファン１２を起動すると、冷媒ガスは、圧縮機２１に吸入されて圧縮された後、四路切換弁２２及びガス側連絡配管３１を経由して室内ユニット２に送られる。そして、室内ユニット２に送られた冷媒ガスは、室内熱交換器１１で室内空気と熱交換して凝縮される。この凝縮した冷媒液は、液側連絡配管３２を経由して室外冷媒ユニット４に送られる。そして、室外冷媒ユニット４に送られた冷媒液は、電動膨張弁２５で減圧された後、室外熱交換器２４で外気と熱交換して蒸発される。この蒸発した冷媒ガスは、四路切換弁２２及びアキュムレータ２３を経由して、再び、圧縮機２１に吸入される。このようにして、暖房運転が行われる。
【００２８】
▲２▼加湿ユニットの運転
以下、加湿運転を行う場合の加湿ユニット５の動作について説明する。
加湿ユニット５は、吸着ファン５５を回転駆動することによって、外部からの空気を加湿ユニットケーシング内に取り入れる。加湿ユニットケーシング内に入ってきた空気は、吸湿ロータ５１の略半分の部分５１ａを通過して、吸着ファン５５を介して加湿ユニットケーシングの外部に排出されて、酸素富化ユニット６に供給される。このとき、加湿ユニットケーシング内に外部から取り入れられた空気は、吸湿ロータ５８の略半分の部分５１ａを通過する際に、空気中に含まれている水分が吸着・除去された除湿空気になっている。
【００２９】
この吸着工程で水分を吸着した吸湿ロータ５１の略半分の部分５１ａは、吸湿ロータ５１が半回転することによって、吸湿ロータ５１の水分吸着されていない側の略半分の部分５１ｂとなる。すなわち、吸着された水分は、吸湿ロータ５１の回転に伴い、ヒータ組立体５３及び加湿ファン５４に対応する位置に移動してくる。そして、ここに移動してきた水分は、ヒータ組立体５３からの熱により、加湿ファン５４によって生成される空気流中に脱着される。
【００３０】
加湿ファン５４を回転駆動すると、外部から加湿ユニットケーシング内に空気が取り込まれ、その空気が吸湿ロータ５１の水分吸着された略半分の部分５１ｂを通過し、加湿ファン５４へと至る。加湿ファン５４は、吸湿ロータ５１を通り抜けてきた空気を給気管８を介して室内ユニット２へ送出する。この室内ユニット２へと送出される空気は、ヒータ組立体５３によって加熱されるとともに、吸湿ロータ５１に吸着されていた水分を含む加湿空気になっている。このようにして、加湿ユニット５から室内ユニット２に供給された加湿空気は、室内熱交換器１１を経て室内に吹き出される。
【００３１】
▲３▼酸素富化ユニットの運転
以下、酸素富化運転を行う場合の酸素富化ユニット６の動作について説明する。
酸素富化ユニット６は、真空ポンプ６４を駆動することによって、吸着ファン５５から供給される除湿空気を酸素富化膜モジュール６１に導入する。酸素富化膜モジュール６１に導入された除湿空気は、酸素富化膜６３を通過する際に、酸素富化空気となる。そして、酸素富化空気は、真空ポンプ６４によって、酸素富化空気供給管６５を介して、給気管８に送られて、室内ユニット２に供給される。ここで、酸素富化膜６３は、空気中の酸素だけでなく水分も透過しやすいため、酸素富化空気中には、水分が多く含まれる傾向にある。しかし、本実施形態では、酸素富化ユニット６に供給する空気を除湿空気にしているため、酸素富化空気中に含まれる水分量は少なくなっている。一方、排気空気は、酸素富化ユニットケーシングから外部に排気される。このようにして、酸素富化ユニット６から室内ユニット２に供給された酸素富化空気は、室内熱交換器１１を経て室内に吹き出される。
【００３２】
（６）空気調和装置の特徴
本実施形態の空気調和装置１には、以下のような特徴がある。
▲１▼空気調和装置１では、加湿ユニット５の運転によって得られる除湿空気を酸素富化膜モジュール６１を備えた酸素富化ユニット６に供給して酸素富化空気を得て、室内に供給するようにしている。これにより、酸素富化ユニット６で得られる酸素富化空気中に含まれる水分量を減らすことができるため、酸素富化膜モジュール６１から酸素富化空気供給管６５及び給気管８を経由して室内に至るまでの流路における酸素富化空気中の水分の結露を防ぐことができる。
【００３３】
▲２▼また、空気調和装置１では、加湿ユニット５の運転によって得られる除湿空気の有効利用にも寄与できる。
▲３▼さらに、室内の加湿及び酸素富化を同時に行うことができるため、冷暖房によって締め切られた室内空気の湿度及び酸素濃度を快適な状態に保持することができる。
【００３４】
［第２実施形態］
図３は、第２実施形態の空気調和装置１０１の冷媒回路の構成図、加湿ユニットの構成図及び酸素富化ユニットの構成図である。
空気調和装置１０１は、第１実施形態の空気調和装置１の加湿ユニット５及び酸素富化ユニット６をそれぞれ加湿ユニット１０５及び酸素富化ユニット１０６に変更した点を除いて、第１実施形態の空気調和装置１の構成と同じである。以下、第１実施形態の空気調和装置１の構成と相違する加湿ユニット１０５及び酸素富化ユニット１０６の構成について図３に基づいて説明する。
【００３５】
本実施形態の空気調和装置１０１の室外ユニット１０３は、室外冷媒ユニット４と加湿ユニット１０５と酸素富化ユニット１０６とから構成されている。
加湿ユニット１０５は、第１実施形態の加湿ユニット５において吸着ファン５５の出口の除湿空気を酸素富化ユニット６の酸素富化膜モジュール６１に供給するように構成されている点を吸着ファン５５の出口の除湿空気を全て外部に放出するようにしている点のみが異なる。そして、酸素富化ユニット１０６は、第１実施形態の酸素富化ユニット６のように除湿空気を酸素富化膜モジュール６１に供給するのではなく、室外空気を取り込んで供給するようにしている点が異なる。
【００３６】
このような加湿ユニット１０５及び酸素富化ユニット１０６の構成にした場合においても、酸素富化空気供給管６５が給気管８に接続されているため、酸素富化ユニット１０６で得られた酸素富化空気は、加湿ユニット１０５で得られた加湿空気との混合を調節できるので、常に露点以下に制御することができる。これにより、給気管８を経由して室内に至るまでの流路における酸素富化空気中の水分の結露を防ぐことができる。
【００３７】
［他の実施形態］
以上、本発明の実施形態について図面に基づいて説明したが、具体的な構成は、これらの実施形態に限られるものではなく、発明の要旨を逸脱しない範囲で変更可能である。
（１）前記実施形態では、加湿装置及び酸素富化装置は、室外冷媒ユニットの上部に配置されているが、この配置に限定されるものではなく、例えば、室外冷媒ユニットの側方に配置したり、室外冷媒ユニットとは別置のユニットにしてもよい。
【００３８】
（２）前記実施形態では、酸素富化膜モジュールを通過する空気は、酸素富化膜モジュールの下流側に設置された真空ポンプによって供給されているが、酸素富化膜モジュールの上流側に設置された圧縮機によって加圧して供給するような構成でもよい。
（３）前記実施形態では、酸素富化空気供給管が酸素富化ユニット内で給気管に接続されているが、酸素富化ユニットの外部で接続されていてもよいし、加湿ユニット内で接続されていてもよい。
【００３９】
（４）第１実施形態では、水分吸着装置として、吸着剤の再生時に加湿空気を得て室内に供給することが可能な加湿装置を採用しているが、除湿空気を得るためだけの装置でもよい。この場合においても酸素富化ユニットに供給される空気は、除湿されているため、酸素富化空気中の水分の結露を防ぐことができる。
（５）第１実施形態では、全ての除湿空気を酸素富化ユニットに供給しているが、除湿空気の一部だけを酸素富化ユニットに供給して、残りの除湿空気を外部に排出するようにしてもよい。
【００４０】
（６）第１実施形態では、酸素富化空気供給管を給気管に接続して酸素富化空気と加湿空気とを混合して室内へ供給しているが、酸素富化空気供給管を単独で室内まで延長して加湿空気とは別に酸素富化空気を室内に供給してもよい。
（７）第２実施形態では、酸素富化ユニットに供給される空気が全て室外空気であるが、室外空気に加湿空気を混合して供給するようにしてもよい。
【００４１】
【発明の効果】
以上の説明に述べたように、本発明によれば、以下の効果が得られる。
請求項１にかかる発明では、水分吸着装置によって得られた除湿空気を酸素富化膜を備えた酸素富化装置に供給して水分量の少ない酸素富化空気を得て、室内に供給するようにしているため、酸素富化空気中の水分の結露を防ぐことができる。
【００４２】
請求項２にかかる発明では、加湿装置の水分吸着によって得られる除湿空気を有効利用するとともに、水分量が少なく結露のおそれの少ない酸素富化空気を得ることができる。
請求項３にかかる発明では、酸素富化装置において得られた水分を多く含む酸素富化空気を吸着剤と加熱装置とを備えた温度スイング吸着式の加湿装置によって得られた温度の高い加湿空気に混合して室内に供給するため、酸素富化空気と加湿空気との混合を調節して、常に露点以下に制御にすることができる。これにより、酸素富化空気に含まれる水分の結露を防ぐことができる。
【図面の簡単な説明】
【図１】空気調和装置の外観図。
【図２】第１実施形態の冷媒回路の構成図、加湿ユニットの構成図及び酸素富化ユニットの構成図。
【図３】第２実施形態の冷媒回路の構成図、加湿ユニットの構成図及び酸素富化ユニットの構成図。
【符号の説明】
１、１０１　空気調和装置
５、１０５　加湿ユニット
６、１０６　酸素富化ユニット
８　給気管
５１　加湿ロータ
５３　ヒータ組立体
６３　酸素富化膜
６５　酸素富化空気供給管
【図１】
2004077093.tif 000003
【図２】
2004077093.tif 000004
【図３】
2004077093.tif 000005